(57)【要約】【課題】マイナスイオン化された空気を音響効果とともに、自動的に効率よくリスナーへ送ることができるようにし、リスナーのリラクゼーション効果を向上させる。また、マイナスイオン発生能力を継続して得ることができ、交換部品等の必要がない構成とする。【解決手段】スピーカユニット１の振動板２に電気石を付加処理する。また、この振動板２のピストン運動により発生する音圧又は振動を、マイナスイオンの積極的放出作用を引き出すための外的エネルギーとして電気石へ印加する。さらに、外的エネルギーが印加された電気石でマイナスイオン化された空気を、振動板２のピストン運動によって、リスナーへ送出するように構成する。【選択図】　　　　図１
2004023447.tif 000002
【特許請求の範囲】
【請求項１】
スピーカシステムを構成する少なくとも１つの部分品に、電気石を付加処理し、スピーカユニットの振動板のピストン運動に基づき、マイナスイオンを放出するように構成したことを特徴とするスピーカシステム。
【請求項２】
スピーカユニットの振動板に、電気石を付加処理し、前記振動板のピストン運動によりマイナスイオンを放出するように構成したことを特徴とするスピーカシステム。
【請求項３】
スピーカキャビネット内に設けたスピーカシステムを構成する少なくとも１つの部分品に、電気石を付加処理し、スピーカユニットの振動板のピストン運動に基づき、ダクトからマイナスイオンを放出するように構成したことを特徴とするスピーカシステム。
【請求項４】
電気石を付加処理した空気の流通が可能なアタッチメントをスピーカユニットの音波放射面へ付設し、スピーカユニットの振動板のピストン運動に基づき、マイナスイオンを放出するように構成したことを特徴とするスピーカシステム。
【請求項５】
前記スピーカユニットの振動板のピストン運動により発生する音圧又は振動の外的エネルギーを前記電気石へ印加するように構成し、マイナスイオンの積極的放出作用を引き出してマイナスイオンを放出することを特徴とする請求項１から４のうちいずれか一項記載のスピーカシステム。
【発明の詳細な説明】
【０００１】
【発明の属する技術分野】
本発明は、マイナスイオン発生機能を付加したスピーカシステムに関するものである。
【０００２】
【従来の技術】
従来、人あるいは動植物などの生体に好ましいとされているマイナスイオンを多く含む空気を作り出すためには、マイナスイオンを生成するための大がかりな装置と、電気エネルギー等を必要とするコロナ放電式、水イオン化式、あるいは直流電子放射式といった方法が知られている。
【０００３】
また、外部からのエネルギーを必要とせずに、永久的にマイナスイオンを含む微弱エネルギーを放出し続ける電気石（自然石トルマリン）を用いて、マイナスイオン化された空気を得る方法が知られている。この電気石は、人為的エネルギーを加えない状態においてもマイナスイオンを含む微弱エネルギーを発生し続けるものの、より積極的にマイナスイオンを含む微弱エネルギーの放出作用を引き出すには、外的エネルギーを印加することがより効果的であることが知られている。この外的エネルギーとしては、熱、圧力、摩擦、あるいは光を用いることが知られている。
【０００４】
このように、電気石から放出されるマイナスイオンのより積極的放出作用を引き出すために、外的エネルギーを用いたものとしては、例えば、特開平１０−５０２５号公報に提案されている扇ぎ具が有る。この提案は、電気石を微粉末状にして、団扇、扇子などの扇ぎ具に塗布、混入、あるいは付着等の手段を用いて付加して構成したものである。
【０００５】
このように構成した上記提案の扇ぎ具は、外的エネルギーとして、摩擦と圧力とを利用している。この場合は、扇ぎ具を用いて扇ぐ時に生じる力、すなわち、電気石微粉末と空気との間で生じる摩擦、および扇ぎ具を構成する織布などからなるシートや骨組みなどの本体部分へ加わる屈曲によって生じる電気石微粉末への圧力を、マイナスイオンの積極的放出作用を生むための外的エネルギーとして利用したものである。
【０００６】
さらに、電気石に外的エネルギーを印加してマイナスイオンをより積極的に引き出す手段として、風に伴って送られてくる空気と、微粉末状の電気石との摩擦を利用したものが特開平１１−３３１２７に提案されている。この提案は、電気石に対するマイナスイオンの積極的放出作用を生むための外的エネルギーとして、扇風機、送風ファン又はエアコンなどから送られる風、あるいは自動車、列車などのように空気中を移動する移動体が引き起こす風を利用している。この風の通り道に、電気石を設置することにより、マイナスイオンを含む微弱エネルギーを放出するように構成している。
【０００７】
また、間接的な例ではあるが、マイナスイオンと同様に、消臭効果を持つ消臭剤やリラックス効果を生む芳香剤を、スピーカグリルに装着することを提案した例えば、特開平６−３３９１９０号公報、あるいは特開平７−７７８０号公報がある。
【０００８】
【発明が解決しょうとする課題】
従来のコロナ放電式、水イオン化式、あるいは直流電子放射式といった大掛かりな装置では、場所を占有する面積が大きい。一方、スピーカシステムの一般的課題として、設置スペースの制約から、設置位置や大きさなどの制約を受ける。したがって、スピーカシステムに搭載する装置は、できる限り小型であることが好ましい。この点から、上記のコロナ放電方式などの各方式を考察すると、その構造上の特長から大型化が余儀なくされ、また、電気的ノイズの発生源となるなど、電気的特性面でも不利となる問題点が挙げられる。
【０００９】
また、電気石粉末を付加した扇ぎ具のように、手動により外的エネルギーを印加してマイナスイオンの積極的放出作用を引き出す方法は、長時間の使用には、不向きである。
【００１０】
さらに、扇風機、あるいはエアコンなどの風を利用して電気石に外的エネルギーを印加する方法は、扇風機、あるいはエアコンは、本来、部屋の空調を整えることが目的であるため、人に向かって直接風を送り続けることは好ましい状態ではない。したがって、マイナスイオンを含む空気を人や動植物などの生体へ充分に当てて活性化効果を得ることは困難であった。
【００１１】
また、スピーカグリルの消臭剤や芳香剤を設けたものは、スピーカユニットからの音圧により周囲に拡散することはあるが、実際上は、消臭剤や芳香剤の粒子が大きいため、スピーカキャビネットの近傍に漂う程度であった。しかも、時間が経過すると消臭剤や芳香剤の物質が次第に消耗するため、その効果が激減する。さらに効果を維持させるためには、消臭剤や芳香剤を交換、あるいは新しく詰め替える必要があり、手間がかかるという問題点があった。
【００１２】
本発明は、従来の技術の有するこのような問題点に鑑みなされたものであり、その目的とするところは、マイナスイオン化された空気を音響効果とともに、自動的にリスナーに送ることが可能で、リスナーのリラクゼーション効果をさらに向上させることが可能となるスピーカシステムを提供しようとするものである。
【００１３】
【課題を解決するための手段】
上記の目的を達成するために、本発明のスピーカシステムによれば、スピーカシステムを構成する少なくとも１つの部分品に、電気石を付加処理し、スピーカユニットの振動板のピストン運動に基づき、マイナスイオンを放出するように構成している。
【００１４】
また、スピーカユニットの振動板に、電気石を付加処理し、この振動板のピストン運動によりマイナスイオンを放出するように構成することが効果的である。
【００１５】
さらに、スピーカキャビネット内に設けたスピーカシステムを構成する少なくとも１つの部分品に、電気石を付加処理し、スピーカユニットの振動板のピストン運動に基づき、ダクトからマイナスイオンを放出するように構成することが好ましい。
【００１６】
また、電気石を付加処理した空気の流通が可能なアタッチメントを、スピーカユニットの音波放射面へ付設し、スピーカユニットの振動板のピストン運動に基づき、マイナスイオンを放出するように構成することもできる。
【００１７】
また、スピーカユニットの振動板のピストン運動により発生する音圧又は振動の外的エネルギーを電気石へ印加するように構成し、マイナスイオンの積極的放出作用を引き出してマイナスイオンを放出することが効果的である。
【００１８】
【発明の実施の形態】
本発明の実施の形態を実施例にもとづき図面を参照して説明する。
この発明に係わるスピーカシステムにおける第１の実施の形態は、スピーカシステムを構成する少なくとも１つの部分品に、電気石を付加処理し、スピーカユニットの振動板のピストン運動に基づき、マイナスイオンを放出するように構成したものである。以下、その実施例を挙げて説明する。
【００１９】
図１は、スピーカユニット１の振動板２へ電気石（自然石トルマリン）を付加処理した第１の実施例を示している。この第１の実施例は、電気石の微粉末を振動板２へ塗布、混入又は付着等の手段によって付加処理を行い、スピーカシステムを構成している。
【００２０】
この振動板２へ付加処理をした電気石は、振動板２のピストン運動に基づく振動を、マイナスイオンの積極的放出作用を生むための外的エネルギーとして印加するように構成している。この外的エネルギーが印加された電気石は、マイナスイオンを生成し、マイナスイオンを多く含む空気を発生する。さらに、このマイナスイオン化された空気は、振動板２のピストン運動によって、リスナーに向かって送出される。
【００２１】
このスピーカシステムは、通常、リスナーに向かって配置されているため、マイナスイオン化された空気は、自動的にリスナーに効率よく届くことになる。また、マイナスイオンは、電気を帯びた分子であるため、微小な運動エネルギーで移動することができるため、振動板２の微小運動でも、充分にリスナーまで到達することができる。さらに、振動板２のピストン運動は、オーディオ信号に基づいて行われるため、リスナーへ送られるマイナスイオン化された空気は、常に変化した状態で送られてくるため、より自然な好ましい状態でリスナーへ送出することができ、リラクゼーション効果を高めることができる。また、電気石が持つマイナスイオン発生能力は、永久的であるため、振動板２へ電気石微粉末の再塗布等を行うこと、あるいは、スピーカユニット１を交換する必要がなく、一定した効果を継続して得ることができる。
【００２２】
第１の実施形態に係わる第２の実施例は、図１に示すスピーカユニット１を構成するフレーム３に、電気石の微粉末を塗布、混入又は付着等の手段によって付加処理を行い、スピーカシステムを構成している。
【００２３】
このフレーム３へ付加処理した電気石は、振動板２のピストン運動に基づくフレーム３の振動を、マイナスイオンの積極的放出作用を引き出すための外的エネルギーとして印加するように構成している。この外的エネルギーが印加された電気石は、マイナスイオンを生成し、マイナスイオンを多く含む空気を発生する。さらに、このマイナスイオン化された空気は、振動板２のピストン運動によって、自動的にリスナーに向かって送出される。
【００２４】
第１の実施形態に係わる第３の実施例は、図１に示すスピーカキャビネット４を構成する部材の表面に、電気石の微粉末を塗布、混入又は付着等の手段によって付加処理を行い、スピーカシステムを構成している。
【００２５】
このスピーカキャビネット４へ付加処理した電気石は、振動板２のピストン運動に基づくスピーカキャビネット４の振動を、マイナスイオンの積極的放出作用を引き出すための外的エネルギーとして印加するように構成している。この外的エネルギーが印加された電気石は、マイナスイオンを生成し、マイナスイオンを多く含む空気を発生する。さらに、このマイナスイオン化された空気は、スピーカキャビネット４自身の振動によって、自動的にスピーカキャビネット４の周囲に拡散することができる。
【００２６】
第１の実施形態に係わる第４の実施例は、図２に示すスピーカシステムのスピーカグリルネット５、又はパンチングネット（図示しない）に、電気石の微粉末を塗布、混入又は付着等の手段によって付加処理を行い、スピーカシステムを構成している。
【００２７】
このスピーカグリルネット５又はパンチングネットへ付加処理した電気石は、振動板２のピストン運動により発生する音圧（空気の疎密波）を、マイナスイオンの積極的放出作用を引き出すための外的エネルギーとして印加するように構成している。この外的エネルギーが印加された電気石は、マイナスイオンを生成し、マイナスイオンを多く含む空気を発生する。さらに、このマイナスイオン化された空気は、振動板２のピストン運動によって、自動的にリスナーに向かって送出される。
【００２８】
第１の実施形態に係わる第５の実施例は、スピーカシステムの定在波を抑制する目的でスピーカシステムの側面に取り付けられるイコライザー（図示しない）の表面に、電気石の微粉末を塗布、混入又は付着等の手段によって付加処理を行い、スピーカシステムを構成している。
【００２９】
このイコライザーへ付加処理した電気石は、振動板２のピストン運動に基づくスピーカキャビネット４からの振動を、マイナスイオンの積極的放出作用を引き出すための外的エネルギーとして印加するように構成している。この外的エネルギーが印加された電気石は、マイナスイオンを生成し、マイナスイオンを多く含む空気を発生する。さらに、このマイナスイオン化された空気は、スピーカキャビネット４からの振動によって、自動的にその周囲に拡散することができる。
【００３０】
次に、この発明に係わるスピーカシステムにおける第２の実施の形態について説明する。この第２の実施の形態は、スピーカキャビネット内に設けたスピーカシステムを構成する少なくとも１つの部分品に、電気石を付加処理し、スピーカユニットの振動板のピストン運動に基づき、ダクトからマイナスイオンを放出するように構成したものである。
【００３１】
この第２の実施の形態における実施例は、図２に示すバスレフ型のスピーカシステムの内部に取り付けた吸音材（図示しない）へ電気石の微粉末を塗布、混入又は付着等の手段によって付加処理を行い、スピーカシステムを構成している。
【００３２】
この吸音材へ付加処理した電気石は、振動板２のピストン運動により発生する音圧（空気の疎密波）を、マイナスイオンの積極的放出作用を引き出すための外的エネルギーとして印加するように構成している。この外的エネルギーが印加された電気石は、マイナスイオンを生成し、マイナスイオンを多く含む空気を発生する。さらに、このマイナスイオン化された空気は、振動板２のピストン運動によって、ダクト６を通じて自動的にリスナーに向かって送出される。
【００３３】
このスピーカシステムは、通常、リスナーに向かって配置されているため、ダクト６を通じて送出されるマイナスイオン化された空気は、自動的にリスナーに効率よく届くことになる。また、マイナスイオンは、電気を帯びた分子であるため、微小な運動エネルギーで移動することができるため、振動板２の微小運動でも、ダクト６を通じて充分にリスナーまで到達することができる。さらに、振動板２のピストン運動は、オーディオ信号に基づいて行われるため、リスナーへ送られるマイナスイオン化された空気は、常に変化した状態で送られてくるため、より自然な好ましい状態でリスナーへ送出することができ、リラクゼーション効果を高めることができる。また、電気石が持つマイナスイオン発生能力は、永久的であるため、吸音材へ電気石微粉末の再塗布等を行う必要がなく、一定した効果を継続して得ることができる。
【００３４】
さらに、この発明に係わるスピーカシステムにおける第３の実施の形態について説明する。この第３の実施の形態は、電気石を付加処理した空気の流通が可能なアタッチメントを、スピーカユニットの音波放射面へ付設し、スピーカユニットの振動板のピストン運動に基づき、マイナスイオンを放出するように構成したものである。
【００３５】
この第３の実施の形態における実施例は、図３および図４に示すように、スピーカグリル７に対して着脱自在に構成した付属品としてアタッチメント８を設けている。このアタッチメント８は、空気の流通が可能な部材で構成され、電気石の微粉末を塗布、混入又は付着等の手段によって付加処理を施している。また、このアタッチメント８には、スピーカグリル７へ装着するための、着脱自在に構成した取り付け部９を設けている。
【００３６】
このアタッチメント８へ付加処理した電気石は、振動板２のピストン運動により発生する音圧（空気の疎密波）を、マイナスイオンの積極的放出作用を引き出すための外的エネルギーとして印加するように構成している。この外的エネルギーが印加されたアタッチメント８の電気石は、マイナスイオンを生成し、マイナスイオンを多く含む空気を発生する。さらに、このマイナスイオン化された空気は、振動板２のピストン運動によって、自動的にリスナーに向かって送出される。
【００３７】
このスピーカシステムは、通常、リスナーに向かって配置されているため、スピーカグリル７へ装着したアタッチメント８から送出されるマイナスイオン化された空気は、自動的にリスナーに効率よく届くことになる。また、マイナスイオンは、電気を帯びた分子であるため、微小な運動エネルギーで移動することができるため、振動板２の微小運動でも、アタッチメント８の電気石から放出されたマイナスイオンは、充分にリスナーまで到達することができる。さらに、振動板２のピストン運動は、オーディオ信号に基づいて行われるため、リスナーへ送られるマイナスイオン化された空気は、常に変化した状態で送られてくるため、より自然な好ましい状態でリスナーへ送出することができ、リラクゼーション効果を高めることができる。また、電気石が持つマイナスイオン発生能力は、永久的であるため、アタッチメント８へ電気石微粉末の再塗布等を行う必要がなく、一定した効果を継続して得ることができる。
【００３８】
【発明の効果】
本発明は、以上説明したように構成されているので、マイナスイオン化された空気を音響効果とともに、自動的にリスナーに送ることが可能で、リスナーのリラクゼーション効果をさらに向上させることが可能となる。
【図面の簡単な説明】
【図１】本発明に係わるスピーカシステムの実施例を示す斜視図である。
【図２】本発明に係わるスピーカシステムの実施例を示す斜視図である。
【図３】本発明に係わるスピーカシステムの実施例を示す斜視図である。
【図４】図３に示すアタッチメントを示す斜視図である。
【符号の簡単な説明】
１　　スピーカユニット
２　　振動板
３　　フレーム
４　　スピーカキャビネット
５　　スピーカグリルネット
６　　ダクト
７　　スピーカグリル
８　　アタッチメント
９　　取り付け部
【図１】
2004023447.tif 000003
【図２】
2004023447.tif 000004
【図３】
2004023447.tif 000005
【図４】
2004023447.tif 000006